(57)【要約】【課題】四つの表示部の各々に表示された各画像を継ぎ目の無い一つの画像として表示することができ、表示部を矩形状に配列可能なディスプレイ装置を提供する。【解決手段】筐体３の各々は一角を挟む二辺には表示部２の駆動手段である信号電極駆動部６や走査電極駆動部７が配されておらず、これらの辺のそれぞれにおいて他の筐体３と接するように各筐体３が縦横二列に配置されることで四つの表示部２が全体として矩形をなして配列される。【選択図】図６
2010266752.tif 000002
【特許請求の範囲】
【請求項１】
情報を表示する第１の表示部を備えた矩形状の第１の筐体と、
情報を表示する第２の表示部を備えた矩形状の第２の筐体と、
情報を表示する第３の表示部を備えた矩形状の第３の筐体と、
情報を表示する第４の表示部を備えた矩形状の第４の筐体と、を具備し、
前記筐体の各々は、一角を挟む二辺には前記第１乃至第４の表示部の駆動手段が配されておらず、これらの辺のそれぞれにおいて他の筐体と接するように各筐体が縦横二列に配置されることで前記第１乃至第４の表示部が全体として矩形をなして配列されることを特徴とするディスプレイ装置。
【請求項２】
前記第１乃至第４の筐体同士がなす四つの境界のいずれか一つでは筐体同士が連結されておらず、他の三つの境界において筐体同士が折り曲げ可能に連結されることを特徴とする請求項１記載のディスプレイ装置。
【請求項３】
前記連結されていない筐体同士がなす境界の延長上に位置する境界においては、前記連結されていない筐体同士がなす境界と交差する境界とは逆方向に折り曲げ可能であることを特徴とする請求項２記載のディスプレイ装置。
【請求項４】
前記筐体の各々は、隣接する他の筐体との開き角が略１８０度の状態を維持する固定手段を備えることを特徴とする請求項１記載のディスプレイ装置。
【請求項５】
前記駆動手段は、前記表示部の信号電極駆動手段と走査電極駆動手段とからなり、
前記信号電極駆動手段及び前記走査電極駆動手段は、各々の筐体の他の筐体と隣接しない二辺にそれぞれ配置されていることを特徴とする請求項１から４のいずれか１項記載のディスプレイ装置。
【請求項６】
各々の筐体は、前記信号電極駆動手段と前記走査電極駆動手段との相対的な位置関係が、縦横二列の対角上に位置する他の筐体と同じであることを特徴とする請求項５記載のディスプレイ装置。
【請求項７】
前記筐体及び前記表示部が正方形状であり、前記信号電極駆動手段と前記走査電極駆動手段との相対的な位置関係が四つの筐体の全てで同じであることを特徴とする請求項５記載のディスプレイ装置。
【請求項８】
隣接するいずれか二つの筐体に、前記表示部と隣接して操作部が配置されていることを特徴とする請求項１記載のディスプレイ装置。
【請求項９】
前記連結されていない筐体同士がなす境界の延長上に位置する境界においては前記表示部同士が背反する方向に折り曲げ可能であり、前記連結されていない筐体同士がなす境界と交差する境界においては前記表示部同士が対向する方向に折り曲げ可能であることを特徴とする請求項３記載のディスプレイ装置。
【請求項１０】
前記連結されていない筐体同士がなす境界の延長上に位置する境界においては前記表示部同士が対向する方向に折り曲げ可能であり、前記連結されていない筐体同士がなす境界と交差する境界においては前記表示部同士が背反する方向に折り曲げ可能であることを特徴とする請求項３記載のディスプレイ装置。
【請求項１１】
二つの境界の一方で他の筐体と連結されていない前記筐体は、他の筐体が連結される辺と対向する辺に、前記表示部を覆うように折り曲げ可能なカバー部材が連結されていることを特徴とする請求項９記載のディスプレイ装置。
【請求項１２】
前記各筐体の姿勢を検出するセンサを備え、該センサの検出結果に基づいて前記表示部において表示する画像の向き及びサイズを制御する表示制御手段を有することを特徴とする請求項１記載のディスプレイ装置。
【発明の詳細な説明】
【技術分野】
【０００１】
本発明は、画像を表示する表示部を備えた筐体を複数有し、各々の筐体の表示部に表示された画像を組み合わせて一つの画像を表示可能なディスプレイ装置に関し、特に、折り畳み可能なディスプレイ装置に関する。
【背景技術】
【０００２】
従来のマルチディスプレイ装置は、画像を表示する表示部を備えた筐体を複数有し、各筐体の周縁部には、駆動回路として駆動用ＩＣ及び配線接続部又は引き出し電極が配置されている。一般的には、駆動回路は、表示部と同じ面の外側の四辺に配置されている。
【０００３】
また、可搬性を高めるために、画像を表示する表示部を備えた筐体を二台用い、それらを折り畳み可能に連結したマルチディスプレイ装置が、特許文献１や特許文献２に開示されている。
【０００４】
特許文献３には、表示部を持つ筐体をスライドさせる又は折り畳むことにより表示装置が占める面積を四分の一にできるマルチディスプレイ装置が開示されている。
【発明の概要】
【発明が解決しようとする課題】
【０００５】
特許文献１や特許文献２などに開示される従来のマルチディスプレイ装置は、各筐体を連結し、各々の表示部に表示された画像を組み合わせて一つの画像を表示させた場合に、各筐体の周縁部に配置されている駆動回路が表示部同士の間に存在することとなる。このため、表示部同士の間隔が広がってしまい、表示部同士を組み合わせても継ぎ目のない一つの画像を構成することができない。
【０００６】
特許文献３に開示される発明は、一般的な表示装置や特許文献１、２に開示される発明と同様に、駆動用ＩＣ及び配線接続部又は引き出し電極などの駆動回路が表示部の外周四辺に設けられており、複数の表示部の各々に表示された複数の画像を組み合わせて一画像を構成する際に、継ぎ目のない画像を表示することができない。よって、従来のマルチディスプレイ装置や特許文献１、２に開示される発明と同様に、連続した画像を見やすく表示することができない。
また、特許文献３に開示される発明は、液晶表示装置が凸字状に配置されるようにマルチディスプレイ装置が展開され、一般的な画像と同様の矩形状には展開されないため、一般的な表示装置での表示を想定した正方形や長方形状の画像をそのままの形状で拡大表示することができない。
【０００７】
本発明は係る問題に鑑みてなされたものであり、四つの表示部の各々に表示された各画像を継ぎ目の無い一つの画像として表示することができ、表示部を矩形状に配列可能なディスプレイ装置を提供することを目的とする。
【課題を解決するための手段】
【０００８】
本発明は、上記目的を達成するために、情報を表示する第１の表示部を備えた矩形状の第１の筐体と、情報を表示する第２の表示部を備えた矩形状の第２の筐体と、情報を表示する第３の表示部を備えた矩形状の第３の筐体と、情報を表示する第４の表示部を備えた矩形状の第４の筐体とを具備し、前記筐体の各々は、一角を挟む二辺には前記第１乃至第４の表示部の駆動手段が配されておらず、これらの辺のそれぞれにおいて他の筐体と接するように各筐体が縦横二列に配置されることで前記第１乃至第４の表示部が全体として矩形をなして配列されることを特徴とするディスプレイ装置を提供するものである。
【発明の効果】
【０００９】
本発明によれば、四つの表示部の各々に表示された各画像を継ぎ目の無い一つの画像として表示することができ、表示部を矩形状に配列可能なディスプレイ装置を提供できる。
【図面の簡単な説明】
【００１０】
【図１】本発明を好適に実施した第１の実施形態に係るディスプレイ装置の展開した状態の一例を示す図である。
【図２】第１の実施形態に係るディスプレイ装置の折り畳んだ状態の一例を示す図である。
【図３】筐体の構成の一例を示す図である。
【図４】ディスプレイ装置の内部構成の一例を示す図である。
【図５】ディスプレイ装置の機能構成の一例を示す図である。
【図６】連結具で接続されていない筐体同士の境界線と直交する側に走査電極駆動部が、平行な側に信号電極駆動部が配置されたディスプレイ装置の一例を示す図である。
【図７】連結具で接続されていない筐体同士の境界線と直交する側に走査電極駆動部が配置された筐体と、平行な側に走査電極駆動部が配置された筐体とが混在するディスプレイ装置の一例を示す図である、
【図８】正方形状のディスプレイ装置の一例を示す図である。
【図９】ディスプレイ装置の折り畳み方の一例を示す図である。
【図１０】折り畳み途中のディスプレイ装置の一例を示す図である。
【図１１】筐体同士の開き角が略１８０度の状態で固定する機構の一例を示す図である。
【図１２】筐体同士の連結部分の一例を示す斜視図である。
【図１３】山折り及び谷折りのいずれも可能な連結具の一例を示す図である。
【図１４】筐体を開いた状態から折り畳んだ状態に変化させた場合の連結具の状態の変化の一例を示す図である。
【図１５】本発明を好適に実施した第２の実施形態に係るディスプレイ装置の構成の一例を示す図である。
【図１６】第２の実施形態に係るディスプレイ装置の折り畳んだ状態の一例を示す図である。
【図１７】第２の実施形態に係るディスプレイ装置の別の構成の一例を示す図である。
【図１８】本発明を好適に実施した第３の実施形態に係るディスプレイ装置の構成の一例を示す図である。
【図１９】第３の実施形態に係るディスプレイ装置を部分的に展開した状態の一例を示す図である。
【図２０】本発明を好適に実施した第４の実施形態に係るディスプレイ装置の構成の一例を示す図である。
【図２１】第４の実施形態に係るディスプレイ装置を部分的に展開した状態の一例を示す図である。
【発明を実施するための形態】
【００１１】
〔第１の実施形態〕
本発明を好適に実施した第１の実施形態について説明する。
図１に、本実施形態に係るディスプレイ装置１の展開した状態の一例の斜視図を示す。図２に、折り畳んだ状態の一例の斜視図を示す。
ディスプレイ装置１は、表示部２Ａ、２Ｂ、２Ｃ、２Ｄ（以下、これらを区別しない場合は表示部２と表記する。）を備え、各表示部２に表示された画像を合わせることにより一画像を構成可能である。
【００１２】
表示部２Ａの一辺と表示部２Ｂ・２Ｄの一辺とが接し、表示部２Ｃの一辺と表示部２Ｂ・２Ｄの一辺とが接するように配置されている。各々の表示部２は、他の表示部２と隣接する辺には、駆動回路として駆動用ＩＣや配線接続部又は引き出し電極が配置されていない。
【００１３】
表示部２Ａ、２Ｂ、２Ｃ、２Ｄを収容する筐体３Ａ、３Ｂ、３Ｃ、３Ｄ（以下、これらを区別しない場合は筐体３と表記する。）は、固定具４を備えており、ディスプレイを展開した状態を維持できるようになっている。
【００１４】
筐体３Ａと筐体３Ｂ、筐体３Ｂと筐体３Ｃ、筐体３Ｃと筐体３Ｄは、それぞれ連結具５を介して接続されており、少なくとも所定方向に折り曲げることが可能となっている。ここで、表示部２同士が向かい合う方向への折り曲げを「谷折り」、表示部２が背反する方向への折り曲げを「山折り」と表記する。
なお、筐体３Ａと筐体３Ｄとは連結具５で連結されておらず、離間自在の構造となっている。
【００１５】
図３に、筐体３の構成の一例を示す。筐体３Ａは、表示部２Ａ側から見て、信号電極駆動用ＩＣ及び引き出し電極（以下、信号電極部駆動部）６が上側に位置する向きに配置した場合に、走査電極駆動用ＩＣ及び引き出し電極（以下、走査電極駆動部）７は左側に位置する形状である。一方、筐体３Ｂは、表示部２Ｂ側から見て、信号電極駆動部６が上側に位置する向きに配置した場合に、走査電極駆動部７は右側に位置する形状である。すなわち、筐体３Ａと筐体３Ｂとは、表示部２Ａ、２Ｂの表示面を合わせ面として鏡合わせの形状である。なお、筐体３Ｃは筐体３Ａと同様であり、筐体３Ｄは筐体３Ｂと同様である。よって、筐体３Ａ、３Ｃ用と筐体３Ｂ、３Ｄ用との二種類の筐体を二つずつ用いてディスプレイ装置１を構成可能である。
なお、駆動回路は、必ずしも筐体の周縁部に配置されている必要はなく、周縁部には配線接続部を設けて、筐体内の他の場所に設置された駆動回路と接続するようにしても良い。
【００１６】
図４に、ディスプレイ装置１の内部の構成の一例を示す。ディスプレイ装置１の各筐体３は内部に、駆動回路として信号電極駆動部６及び配線接続部６ｂと、走査電極駆動部７及び配線接続部７ｂとを備えている。また、ディスプレイ装置１は、全体又は各筐体の動きや傾きを検知するためのセンサ（加速度センサ）１４と、センサ１４が検知した状態・動き及び傾きに応じて、少なくともディスプレイ装置１に表示する画像の大きさ、及び向きを調整する表示制御部１５を持つ。また、画像データを取り込むためのインタフェースとしての入出力インタフェース１６（メモリカードスロットや通信コネクタなど）を備えている。
【００１７】
図５に、ディスプレイ装置１の機能構成の一例を示す。表示制御部１５は、入出力インタフェース１６を通じて画像をディスプレイ装置１に取り込む。同時に、各筐体が備えるセンサ１４から情報を取り込み、表示制御部１５はディスプレイ装置１の状態に応じて、最適な画像処理を行う。
例えば、表示制御部１５は、図１のようにディスプレイ装置１を展開した状態では、表示部２Ａ〜２Ｄを全て用いて一体に画像を表示させるために、入出力インタフェース１６から取り込んだ画像に対して、表示部２に合うように拡大処理を行い、図２のように折り畳んだ場合には、画像出力を停止するなどの制御を行う。その後、処理された画像信号を配線接続部６ｂ、７ｂを通じて、画像を出力する表示部が備える信号電極駆動部６及び走査電極駆動部７に送り、画像信号を受けた信号電極駆動部６及び走査電極駆動部７が表示部２に画像を出力する。
なお、ここでは筐体３Ｂに表示制御部１５及び入出力インタフェース１６が設置された構成を例としているが、他の筐体に設置されていても構わない。
【００１８】
筐体３Ａと３Ｃ、筐体３Ｂと３Ｄとに同種の筐体を用いる場合、走査方向が逆となってしまう。例えば、筐体３Ａが左から右への走査を下方向に向かって繰り返す構成である場合には、これと同じ構成を筐体３Ｃとして用いると右から左への走査を上方向に向かって繰り返す構成となってしまう。このため、走査電極駆動部７にアップダウン機能を持つシフトレジスタを備えた走査電極駆動用ＩＣを用いて走査方向を自由に設定できるようにして、各筐体３での走査方向を統一できるようにすると好ましい。
【００１９】
図６に示すように、連結具で接続されていない筐体同士の境界線と直交する側に走査電極駆動部７が、平行な側に信号電極駆動部６が配置されるように構成しても良く、図７に示すように、連結具で接続されていない筐体同士の境界線と直交する側に走査電極駆動部７が配置された筐体３と、平行な側に走査電極駆動部７が配置された筐体３とが混在していても良い。
【００２０】
筐体３Ａ〜３Ｄを、他の筐体と隣接する辺には信号電極駆動部６や走査電極駆動部７が位置しないように配列することで、表示部２の各々に表示された画像を組み合わせて一つの画像を表示する場合に、継ぎ目のない表示が可能となる。
【００２１】
なお、図８に示すように筐体３に短辺・長辺の区別が無い（換言すると、ディスプレイ装置１が正方形である）ならば、同じ筐体を四つ用いてディスプレイ装置１を構成可能である。
【００２２】
次に、ディスプレイ装置１の折り畳み方について説明する。
筐体３Ａ〜３Ｄを備えたディスプレイ装置１は、下記の条件（ａ）、（ｂ）を満たすことによって、四分の一の大きさに折り畳むことが可能となっている。
（ａ）筐体３Ａと３Ｄとが連結されていない。
（ｂ）連結されていない筐体同士の境界線（筐体３Ａと３Ｄとの境界線）に交差する筐体３Ａと３Ｂとの連結部分及び筐体３Ｃと３Ｄとの連結部分は、筐体３Ａと３Ｄとの境界線の延長上にある筐体３Ｂと３Ｃとの連結部分とは逆方向に折り曲げ可能である。
図９を用いて具体例を説明する。筐体３Ａと筐体３Ｄとは、これらの境界８では連結具によって連結せず、筐体３Ｂと筐体３Ｃとを境界９で山折り可能に連結するならば、筐体３Ａと筐体３Ｂとを境界１０ａで谷折り可能に連結し、筐体３Ｃと筐体３Ｄとを境界１０ｂで谷折り可能に連結する。このように各筐体３を連結することで、上記条件（ａ）、（ｂ）が満たされることとなる。
【００２３】
図１０に折り畳み途中の状態のディスプレイ装置１の一例を示す。筐体３Ｂと筐体３Ｃとを表示部２Ｂ及び２Ｃが背中合わせになるように山折りし、筐体３Ａと筐体３Ｂとを表示部２Ａ、２Ｂが向かい合わせになるように折り畳み、さらに、筐体３Ｃと筐体３Ｄとを表示部３Ｃ、３Ｄが向かい合わせになるように折り畳むことで、図２に示したように展開状態から四分の一の大きさに畳むことができる。
ディスプレイ装置１は、図２示すような折り畳み方をすることで、向かい合わせた表示部２を途中まで開いて使用することが可能となる。すなわち、表示部２Ａと２Ｂ（又は表示部２Ｃと２Ｄ）の開き角を略１８０度未満として、表示部２Ａ及び２Ｂに表示された画像を本を読むようにして閲覧できる。このような表示方法は、ディスプレイ装置１を展開するスペースが無い場合や、大画面で表示する必要のないコンテンツを表示する場合に有効である。
【００２４】
図１１に、筐体３同士の開き角が略１８０度の状態で固定する機構の一例を示す。なお、図示する構成はあくまでも一例であり、図示する形状などに限定されるものではない。
筐体３は、展開状態において他の筐体に隣接する側面から突出する固定具４ａと、他の筐体に隣接する別の側面に設けられ固定具４ａが嵌合する凹部４ｂとを有する。固定具４ａをスライドさせて隣接する筐体の凹部４ｂに嵌合させることにより、筐体３が畳まれることを規制できる。具体的には、表示部２が上を向く状態で使用することを想定した場合には、筐体３Ａと筐体３Ｂとが谷折り可能に連結されているならば、開き角略１８０度で固定する機構が存在していなければ、自重で畳まれることを防ぐために筐体３Ａと３Ｂとの両方を支持しなければならなくなる。これに対し、筐体３の開き角を略１８０度で固定する機構が設けられていれば、筐体３Ａ、３Ｂのどちらか一方だけを支持した場合でも自重で畳まれることはない。
【００２５】
次に、筐体３同士を連結する連結具について説明する。
図１２に、筐体３Ａ及び３Ｂの連結部分の一例を示す斜視図である。ここでは２箇所で連結具によって連結された構成を示しているが、連結具で連結する箇所数は１以上ならば任意である。
なお、各筐体３のセンサ１４や信号電極駆動部６及び走査電極駆動部７と表示制御部１５とを接続する配線は、連結具に収容することが好ましい。
上記条件（ｂ）を満たす連結具としては、一般的な電子機器に適用されるヒンジ機構と同様の機構を用いることも可能であるが、山折り及び谷折りのいずれも可能な連結具を用いることも可能である。
【００２６】
図１３は、山折り及び谷折りのいずれも可能な連結具の一例を示す図である。なお、図１３では構成の理解を容易とするために連結具５ａと５ｃとの間隔を広げて示しているが、実際には隙間は狭くなっている。
【００２７】
図１４に、筐体３を開いた状態から折り畳んだ状態まで変化させた場合の連結具の状態の変化の一例を示す図である。連結部５ｂは、連結具５ａ及び５ｃの表裏を接続しており、筐体３の開き角が略１８０度の状態では図１４（ａ）に示す状態となっている。筐体３を折り畳む際に図１４（ｂ）〜（ｄ）に示すように連結具５ｂが変形することで、滑らかな開閉が実現される。
【００２８】
このように、本実施形態に係るディスプレイ装置は、四つの表示部を矩形状に配列可能であるとともに、各表示部の各々に表示された画像を継ぎ目の無い一つの画像として表示することができる。
【００２９】
〔第２の実施形態〕
本発明を好適に実施した第２の実施形態について説明する。
図１５に、本実施形態に係るディスプレイ装置１の構成の一例を示す。ディスプレイ装置１は、第１の実施形態と同様に表示部２Ａ〜２Ｄを備えた四つの筐体３Ａ〜３Ｄを有し、表示部２Ａ〜２Ｄのそれぞれに表示された画像を継ぎ目の無い一つの画像として表示可能である。
本実施形態において、筐体３Ａには筐体３Ｂと反対側に蓋１１ａが連結されている。また、筐体３Ｄには筐体３Ｃと反対側に蓋１１ｂが連結されている。蓋１１ａと蓋１１ｂとは連結されておらず、離間可能となっている。
【００３０】
本実施形態においては、筐体３Ｂと筐体３Ｃとは谷折り可能に連結されており、筐体３Ａと筐体３Ｂ、筐体３Ｃと筐体３Ｄとはそれぞれ山折り可能に連結されている。また、筐体３Ａと蓋１１ａ、筐体３Ｄと蓋１１ｂはそれぞれ谷折り可能に連結されている。
【００３１】
各筐体の内部の構成や、機能構成は第１の実施形態と同様である。
【００３２】
図１６に示すように、筐体３Ｂと筐体３Ｃとを谷折りする場合には、四分の一の大きさに折り畳んだ際に表示部２Ａ、２Ｄが外側に露出した状態となるが、本実施形態のように蓋１１ａ、１１ｂを設けることにより、表示部２Ａ、２Ｄの汚れや破損を防止できる。
【００３３】
なお、図１７に示すように、蓋１１ａ、１１ｂの表示部２Ａ、２Ｄと向かい合う側（展開した際に表示部２と同じ面となる側）に、操作部１２を設けることで、入出力装置として利用することも可能となる。
【００３４】
この他については第１の実施形態と同様であるため、重複する説明は省略する。
【００３５】
〔第３の実施形態〕
本発明を好適に実施した第３の実施形態について説明する。図１８に、本実施形態に係るディスプレイ装置１の構成の一例を示す。第１の実施形態と同様の構成であるが、表示部２上にタッチパネルセンサ１３が設けられている。
【００３６】
この構成では、図１９に示すように、筐体３Ａと３Ｂ（又は筐体３Ｃと３Ｄ）の開き角を略１８０度未満として、表示部２Ａ及び２Ｂに表示された画像を本を読むようにして閲覧する場合に、表示部２Ａ、２Ｂに頁送りボタン１７を表示させることができ、表示する画像の切り替えを容易に行える。よって、ユーザの利便性が向上する。
なお、タッチパネルセンサ１３は、必ずしも表示部２の全面に設けられている必要はなく、表示部２の一部分の上のみに設けられていても良い。
【００３７】
この他については第１の実施形態と同様であるため、重複する説明は省略する。
【００３８】
〔第４の実施形態〕
本発明を好適に実施した第４の実施形態について説明する。図２０に、本実施形態に係るディスプレイ装置１の構成の一例を示す。
本実施形態においては、筐体３Ａ、３Ｄには操作部１８が設けられており、表示部２Ａ、２Ｄの形状は、表示部２Ｂ、２Ｃの形状と同一ではない。このため、表示部２全体として展開した状態での形状は、表示部２Ａ〜２Ｄのいずれとも相似な形状とはなっていない。
【００３９】
表示部２Ａ〜２Ｄの形状が全て一致していなくとも、表示制御部１５が折り畳み状態に応じて画像の縦横比を変更したり、トリミングや余白の挿入を行うことによって、その時の折り畳み状態での表示部２の形状に適した画像を表示できる。また、図２１に示すように、筐体３Ａと３Ｂ（又は筐体３Ｃと３Ｄ）の開き角を略１８０度未満として、表示部２Ａ及び２Ｂに表示された画像を本を読むようにして閲覧する場合でも、表示部２Ａに隣接して操作部１８が存在するため、頁送りなどの操作を容易に行うことが可能であり、ユーザの利便性が高い。
【００４０】
この他については第１の実施形態と同様であるため、重複する説明は割愛する。
【００４１】
なお、上記実施形態は本発明の好適な実施の一例であり、本発明はこれに限定されることなく様々な変形が可能である。
【符号の説明】
【００４２】
１    ディスプレイ装置
２    表示部
３    筐体
４    固定具
５    連結具
６    信号電極駆動部
６ｂ、７ｂ    配線接続部
７    走査電極駆動部
８、９、１０ａ、１０ｂ    境界
１１ａ、１１ｂ    蓋
１２、１８    操作部
１３    タッチパネルセンサ
１４    センサ
１５    表示制御部
１６    入出力インタフェース
１７    頁送りボタン
【先行技術文献】
【特許文献】
【００４３】
【特許文献１】特開平１１−２４９５９６号公報
【特許文献２】特開平１１−１６７３５４号公報
【特許文献３】特開２００１−２６５２６４号公報
【図１】
2010266752.tif 000003
【図２】
2010266752.tif 000004
【図３】
2010266752.tif 000005
【図４】
2010266752.tif 000006
【図５】
2010266752.tif 000007
【図６】
2010266752.tif 000008
【図７】
2010266752.tif 000009
【図８】
2010266752.tif 000010
【図９】
2010266752.tif 000011
【図１０】
2010266752.tif 000012
【図１１】
2010266752.tif 000013
【図１２】
2010266752.tif 000014
【図１３】
2010266752.tif 000015
【図１４】
2010266752.tif 000016
【図１５】
2010266752.tif 000017
【図１６】
2010266752.tif 000018
【図１７】
2010266752.tif 000019
【図１８】
2010266752.tif 000020
【図１９】
2010266752.tif 000021
【図２０】
2010266752.tif 000022
【図２１】
2010266752.tif 000023